【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
第１色光を供給する第１光源部と、
第２色光を供給する第２光源部と、
第３色光を供給する第３光源部と、
前記第１光源部の近傍に配置され、前記第１光源部の温度を検出する第１温度検出部と、
前記第２光源部の近傍に配置され、前記第２光源部の温度を検出する第２温度検出部と、
前記第３光源部の近傍に配置され、前記第３光源部の温度を検出する第３温度検出部と、
前記第１光源部、前記第２光源部及び前記第３光源部からの光を画像信号に応じて変調する空間光変調装置と、
前記空間光変調装置で変調された光をスクリーンに投写する投写レンズと、
前記第１光源部の温度変化量と、前記第１光源部からの前記第１色光の波長領域のシフト量と、ホワイトバランスの調整を行うための前記第１色光、前記第２色光並びに前記第３色光の光量シフト量との関係と、
前記第２光源部の温度変化量と、前記第２光源部からの前記第２色光の波長領域のシフト量と、ホワイトバランスの調整を行うための前記第１色光、前記第２色光並びに前記第３色光の光量シフト量との関係と、
前記第３光源部の温度変化量と、前記第３光源部からの前記第３色光の波長領域のシフト量と、ホワイトバランスの調整を行うための前記第１色光、前記第２色光並びに前記第３色光の光量シフト量との関係とを記憶する記憶部と、
前記制御前記第１温度検出部、前記第２温度検出部、及び前記第３温度検出部によりそれぞれ検出された前記第１光源部、前記第２光源部、及び前記第３光源部の温度変化量と、前記記憶部に記憶されている前記第１色光、前記第２色光及び前記第３色光の光量シフト量との関係に基づいて、ホワイトバランスの調整を行うために前記第１光源部、前記第２光源部、及び前記第３光源部の光量を制御する制御部と、
を有することを特徴とするプロジェクタ。
【請求項２】
前記記憶部は、さらに、前記第１光源部の温度と前記第１光源部からの前記第１色光の輝度分布との関係と、前記第２光源部の温度と前記第２光源部からの前記第２色光の輝度分布との関係と、前記第３光源部の温度と前記第３光源部からの前記第３色光の輝度分布との関係とを記憶し、
前記制御部は、さらに、前記第１温度検出部、前記第２温度検出部、及び前記第３温度検出部によりそれぞれ検出された前記第１光源部、前記第２光源部、及び前記第３光源部の温度と、前記記憶部に記憶されている前記第１色光、前記第２色光、及び前記第３色光の輝度分布との関係に基づいて、前記スクリーンにおいて前記第１色光、前記第２色光、及び前記第３色光のそれぞれの輝度分布が略均一となるように前記空間光変調装置を制御することを特徴とする請求項１に記載のプロジェクタ。
【請求項３】
前記記憶部は、さらに、投写像の階調を補正するための階調補正値を記憶し、
前記制御部は、前記第１温度検出部、前記第２温度検出部、及び前記第３温度検出部によりそれぞれ検出された前記第１光源部、前記第２光源部、及び前記第３光源部の温度に基づいて、前記階調補正値を変更して使用することにより、前記スクリーンにおいて前記第１色光、前記第２色光、及び前記第３色光のそれぞれの輝度分布が略均一となるように前記空間光変調装置を制御することを特徴とする請求項２に記載のプロジェクタ。
【請求項４】
前記第１色光、前記第２色光、及び前記第３色光のそれぞれの輝度分布を検出するための光検出部をさらに有し、
前記制御部は、前記光検出部により検出された前記第１色光、前記第２色光、及び前記第３色光のそれぞれの輝度分布に基づいて、前記第１色光、前記第２色光、及び前記第３色光のそれぞれの輝度分布が略均一となるように前記空間光変調装置を制御することを特徴とする請求項１〜３のいずれか一項に記載のプロジェクタ。
【請求項５】
前記投写レンズから前記スクリーンに投写された前記第１色光、前記第２色光、及び前記第３色光を、それぞれ前記光検出部に導く検出光学系をさらに有することを特徴とする請求項４に記載のプロジェクタ。
【請求項６】
前記空間光変調装置と前記投写レンズとの間の光路中に設けられ、前記空間光変調装置で変調された前記第１色光、前記第２色光及び前記第３色光をそれぞれ投写レンズの方向と前記光検出部の方向とに分岐する光分岐部をさらに有し、
前記光検出部は、前記光分岐部により分岐される光を検出することを特徴とする請求項４に記載のプロジェクタ。
【請求項７】
前記光検出部は、前記第１色光を検出する第１色光用光検出部と、前記第２色光を検出する第２色光用光検出部と、前記第３色光を検出する第３色光用光検出部とからなり、
前記第１光源部と前記空間光変調装置との間の光路中に設けられ、前記第１光源部からの前記第１色光を前記空間光変調装置の方向と前記第１色光用光検出部の方向とに分岐する第１色光用光分岐部と、
前記第２光源部と前記空間光変調装置との間の光路中に設けられ、前記第２光源部からの前記第２色光を前記空間光変調装置の方向と前記第２色光用光検出部の方向とに分岐する第２色光用光分岐部と、
前記第３光源部と前記空間光変調装置との間の光路中に設けられ、前記第３光源部からの前記第３色光を前記空間光変調装置の方向と前記第３色光用光検出部の方向とに分岐する第３色光用光分岐部と、
を有することを特徴とする請求項４に記載のプロジェクタ。
【請求項８】
さらに、前記空間光変調装置は、前記第１光源部からの前記第１色光と、前記第２光源部からの前記第２色光と、前記第３光源部からの前記第３色光とのそれぞれを前記投写レンズの方向又は前記投写レンズ以外の方向に反射させる可動ミラー素子からなるティルトミラーデバイスであって、
前記光検出部は、前記空間光変調装置により前記投写レンズ以外の方向に反射される光を検出することを特徴とする請求項４に記載のプロジェクタ。
【請求項９】
第１色光を供給する第１光源部と、
第２色光を供給する第２光源部と、
第３色光を供給する第３光源部と、
前記第１光源部、前記第２光源部及び前記第３光源部からの光を画像信号に応じて変調する空間光変調装置と、
前記空間光変調装置で変調された光を所定面に結像する結像レンズと、
前記第１色光、前記第２色光、及び前記第３色光のそれぞれの輝度分布を検出するための光検出部と、
前記光検出部により検出された前記第１色光、前記第２色光、及び前記第３色光のそれぞれの輝度分布に基づいて、前記スクリーンにおいて前記第１色光、前記第２色光、及び前記第３色光のそれぞれの輝度分布が略均一となるように前記空間光変調装置を制御する制御部と、
前記第１光源部の近傍に配置され、前記第１光源部の温度を検出する第１温度検出部と、
前記第２光源部の近傍に配置され、前記第２光源部の温度を検出する第２温度検出部と、
前記第３光源部の近傍に配置され、前記第３光源部の温度を検出する第３温度検出部と、
前記第１光源部の温度と前記第１光源部からの前記第１色光の輝度分布との関係と、前記第２光源部の温度と前記第２光源部からの前記第２色光の輝度分布との関係と、前記第３光源部の温度と前記第３光源部からの前記第３色光の輝度分布との関係とを記憶する記憶部と、を有し、
前記制御部は、さらに、前記第１温度検出部、前記第２温度検出部、及び前記第３温度検出部によりそれぞれ検出された前記第１光源部、前記第２光源部、及び前記第３光源部の温度と、前記記憶部に記憶されている前記第１色光、前記第２色光、及び前記第３色光の輝度分布との関係に基づいて、前記スクリーンにおいて前記第１色光、前記第２色光、及び前記第３色光のそれぞれの輝度分布が略均一となるように前記空間光変調装置を制御することを特徴とする光学装置。
【手続補正２】
【補正対象書類名】明細書
【補正対象項目名】発明の名称
【補正方法】変更
【補正の内容】
【発明の名称】プロジェクタ及び光学装置